(57)【要約】【課題】洗剤容器内の液体洗剤を洗浄室内に供給して器具を洗浄する洗浄装置を周囲にて設置して使用する乾燥装置において、洗剤容器が床等の汚れの原因とならないようにする。【解決手段】乾燥装置１０は、洗剤容器Ｃ内の液体洗剤を洗浄室Ｗ２内に供給して器具を洗浄する洗浄装置Ｗをハウジング１１の周囲に設置して使用するものであり、ハウジング１１内に洗浄装置Ｗにて洗浄した器具を収容して乾燥させる乾燥室２０を備えている。乾燥装置１０においては、乾燥室２０をハウジング１１の一側に寄せて配置し、ハウジング１１の他側に洗浄装置Ｗで用いる洗剤容器Ｃを収容する洗剤収容室６０を設けた。【選択図】図３
2014020587.tif 000002
【特許請求の範囲】
【請求項１】
洗浄した器具を収容して乾燥させる乾燥室をハウジング内に備え、
洗剤容器内の液体洗剤を洗浄室内に供給して前記器具を洗浄する洗浄装置を前記ハウジングの周囲にて設置して使用する乾燥装置であって、
前記乾燥室を前記ハウジング内の一側に配置し、前記ハウジングの他側には前記洗剤容器を収容する洗剤収容室を設けたことを特徴とする乾燥装置。
【請求項２】
前記ハウジング内には前記乾燥室の排気を前記ハウジング外に排出する排気管を配設した排気管収容室を備え、
前記排気管収容室には前記洗剤収容室に収容した洗剤容器から導出して前記洗浄装置に洗剤を供給する洗剤供給管の一部を配設したことを特徴とする請求項１に記載の乾燥装置。
【請求項３】
前記洗剤収容室には洗剤容器から導出した洗剤供給管を保持するホルダを設けたことを特徴とする請求項１または２に記載の乾燥装置。
【請求項４】
前記ハウジング内には前記他側から前記乾燥室に外気を取り入れる吸気経路を備えたことを特徴とする請求項１〜３の何れか１項に記載の乾燥装置。
【発明の詳細な説明】
【技術分野】
【０００１】
本発明は、洗浄した医療用器具等の器具を乾燥させる乾燥装置に関する。
【背景技術】
【０００２】
下記の特許文献１には食器等の器具を洗浄する洗浄装置と、特許文献２には洗浄装置にて洗浄した器具を乾燥させる乾燥装置とが開示されている。特許文献１に記載の洗浄装置は、ハウジング内に器具等の被洗浄物を収容する洗浄室と、洗浄室の上下に配置されて洗浄ポンプから洗浄パイプを介して洗浄室の下部に設けた洗浄水タンクの洗浄水が供給される上下の洗浄ノズルと、洗浄室の上下に配置されてすすぎポンプからすすぎパイプを介して貯湯タンクのすすぎ水が供給されるすすぎノズルとを備えている。また、この洗浄装置においては、ハウジング外に外付け用の洗剤供給ポンプが取り付けられ、洗剤ポンプには洗剤供給管により洗剤タンクに接続されている。この洗浄装置においては、初期給湯時のすすぎポンプの作動により貯湯タンクの温水よりなる洗浄液を洗浄室に供給するときに、洗剤供給ポンプを作動させることによって洗剤タンクの液体洗剤を洗浄室に供給する。初期給湯後には、洗浄室内に収容された器具は、洗浄ポンプの作動によって上下の洗浄ノズルから噴射される洗剤を含んだ洗浄水により洗浄される。
【０００３】
また、特許文献２に記載の乾燥装置は、ハウジング内に洗浄後の食器等の器具を収容する乾燥室と、乾燥室の下方に設けたファンケース内に設けてモータの駆動により回転して外気を導入するファンと、ファンケース内に設けて導入した外気を加熱するヒータと、ヒータにより加熱された空気を乾燥室に送出する送風管とを備えている。この乾燥装置においては、モータの駆動により回転するファンによる送風をヒータにより加熱して熱風とし、この熱風が乾燥室内を循環することで、乾燥室内に収容した器具を乾燥させている。
【先行技術文献】
【特許文献】
【０００４】
【特許文献１】実公平０７−００５８０４号公報
【特許文献２】実公平０２−００８７３０号公報
【発明の概要】
【発明が解決しようとする課題】
【０００５】
上述した特許文献１及び２に記載した洗浄装置と乾燥装置においては、本実施形態に示したように、洗浄装置を乾燥装置の上側等の周囲に設置して使用すると、洗浄装置によって洗浄した器具を短い動線で乾燥装置に移動させることができ、洗浄から乾燥までの作業の効率を良くすることができる。特許文献１に記載した洗浄装置においては、洗浄に用いる洗剤タンクは、洗剤が空となったときの交換を容易とするために、ハウジング外にて例えば床や、乾燥装置に隣接して設置した作業台としても用いる他の機器の天板に置いて使用される。洗剤タンクを床に置いて使用したときには、洗剤タンクの周囲に塵や埃が溜まって不衛生であり、洗剤タンクを足で引っかけて倒すと床を汚すおそれがあった。また、洗剤タンクを他の機器の天板に置いて使用すると、天板の上の作業空間が狭くなるとともに、洗剤タンクを倒して機器の天板を汚すおそれがあった。本発明は、洗剤容器内の液体洗剤を洗浄室内に供給して器具を洗浄する洗浄装置を周囲にて設置して使用する乾燥装置において、洗剤容器が床等の汚れの原因となることや、作業台として用いる他の機器の天板上に置くことによる作業の妨げとならないようにすることを目的とする。
【課題を解決するための手段】
【０００６】
上記課題を解決するために、洗浄した器具を収容して乾燥させる乾燥室をハウジング内に備え、洗剤容器内の液体洗剤を洗浄室内に供給して器具を洗浄する洗浄装置をハウジングの周囲にて設置して使用する乾燥装置であって、乾燥室をハウジング内の一側に配置し、ハウジングの他側には洗剤容器を収容する洗剤収容室を設けたことを特徴とする乾燥装置を提供するものである。
【０００７】
上記のように構成した乾燥装置においては、乾燥室をハウジング内の一側に配置し、ハウジングの他側には洗剤容器を収容する洗剤収容室を設けたので、洗剤容器を乾燥装置のハウジング内の洗剤収容室に収容することができ、洗剤容器を床や他の機器の天板の上に置いて使用したときのように、洗剤容器を倒す等をして洗剤容器の周囲が汚れるのを未然に防ぐことができ、また、洗剤容器を置いた場所の作業空間が狭くなるのを防ぐことができる。
【０００８】
上記のように構成した乾燥装置においては、ハウジング内には乾燥室の排気をハウジング外に排出する排気管を配設した排気管収容室を備え、排気管収容室には洗剤収容室に収容した洗剤容器から導出して洗浄装置に洗剤を供給する洗剤供給管の一部を配設すれば、洗剤容器から洗剤供給管により洗浄装置に送られる液体洗剤は排気管収容室内を通過する際に排気管を通る乾燥室の排気により適度に加熱され、液体洗剤を洗浄装置で高い洗浄力を発揮させることができる。
【０００９】
上記のように構成した乾燥装置においては、洗剤収容室には洗剤容器から導出した洗剤供給管を保持するホルダを設ければ、洗剤収容室の洗剤容器を交換するときに、洗剤供給管をホルダに保持させることで、洗剤容器の交換が容易となる。
【００１０】
上記のように構成した乾燥装置においては、ハウジング内には他側から乾燥室に外気を取り入れる吸気経路を備えれば、洗剤収容室に収容した洗剤容器はハウジングの同じ他側に設けた吸気経路を通過する外気により乾燥室の熱の影響を受けにくくなる。
【図面の簡単な説明】
【００１１】
【図１】本発明の一実施形態である乾燥装置の天板上に洗浄装置を設置した正面図である。
【図２】図１の各左側面パネルを外した状態の左側面図である。
【図３】図１の乾燥装置の前後方向の中間部における縦方向断面の斜視図である。
【図４】（ａ）は乾燥装置の左端部の断面の斜視図であり、（ｂ）は（ａ）の洗剤収容室の拡大図であり、（ｃ）は（ｂ）の洗剤容器を取り出したときの斜視図である。
【図５】乾燥装置の左端部を断面にした状態でドロワを引き出した分解斜視図である。
【発明を実施するための最良の形態】
【００１２】
以下、本発明の乾燥装置の一実施形態を添付図面を参照して説明する。図１〜図３に示したように、乾燥装置１０は、洗剤容器Ｃ内の液体洗剤を洗剤供給用のポンプＷ１により洗浄室Ｗ２内に供給して器具を洗浄する洗浄装置Ｗをハウジング１１の天板上（ハウジング１１の周囲）に設置して使用するものであり、ハウジング１１内に洗浄装置Ｗにて洗浄した器具を収容して乾燥させる乾燥室２０を備えている。乾燥装置１０においては、乾燥室２０をハウジング１１の右側（一側）に寄せて配置し、ハウジング１１の左側（他側）に洗浄装置Ｗで用いる洗剤容器Ｃを収容する洗剤収容室６０を設けた。
【００１３】
図１及び図２に示したように、本願発明の乾燥装置１０とともに使用する洗浄装置Ｗは、乾燥装置１０のハウジング１１の周囲として例えばハウジング１１の天板上に設置して使用するものである。洗浄装置Ｗは洗剤容器Ｃ内の液体洗剤をポンプＷ１により洗浄室Ｗ２内に供給し、洗浄室Ｗ２の上下に設けた洗浄ノズルから洗剤を含んだ洗浄液を噴射して器具を洗浄するものである。
【００１４】
図１及び図３に示したように、乾燥装置１０は、前面が開口したハウジング１１の右側に寄せて配置して前面が開口した箱形の乾燥室２０と、ハウジング１１の左側部の下部にて乾燥室２０に外気を導入する吸気経路を構成する外気導入室４０と、ハウジング１１の左側部の上部にて乾燥室２０の排気をハウジング１１外に排出する排気管５１を配設した排気管収容室５０と、ハウジング１１の左側部の上下方向の中間部にて洗浄装置Ｗで使用する洗剤を収容する洗剤収容室６０とを備えている。なお、排気管収容室５０は、洗剤収容室６０と上下に連通している。
【００１５】
ハウジング１１には乾燥室２０の前面開口を開閉可能に覆う扉１２と、外気導入室４０の前面を覆う前面パネル４１と、洗剤容器Ｃを洗剤収容室６０に出し入れ自在に収容するドロワ６１とが設けられている。外気導入室４０の前面を覆う前面パネル４１にはハウジング１１外から外気導入室４０に外気を導入する吸気口４１ａが形成されている。
【００１６】
乾燥室２０は、周囲を図示省略した断熱材に覆われている。図３に示したように、乾燥室２０は、左側部を除く大部分に洗浄装置Ｗにより洗浄した器具を入れたトレーＴを多段状に収容する収容部２１と、左側部に収容部２１の下部に熱風を送出する熱風通路２２とを備えている。なお、乾燥室２０の収容部２１は洗浄装置Ｗの洗浄室Ｗ２にて洗浄する器具を入れるトレーＴを上下４段に収容できる大きさとなっており、器具をトレーＴに入れた状態で洗浄室Ｗ２から乾燥室２０の収容部２１に移動させることができる。
【００１７】
乾燥室２０内には、左側部の前後にトレーＴの左端下部を支持するレール２４を取り付けるための棚柱２３と、右側部の前後にトレーＴの右端下部を支持するレール２５を取り付けるための棚柱（図示省略）が設けられている。
【００１８】
図３に示したように、棚柱２３は、乾燥室２０の左側壁側が開いた略コ字形をしており、収容部２１側にレール２４を上下方向に位置調節可能に取り付けるための取付孔２３ａが多数形成されている。また、両棚柱２３の中間部より下側には互いに向き合う壁面に切欠き部（図示しない）が形成されている。乾燥室２０の右側部の前後に設けた棚板にも、左側部の棚柱２３に形成した取付孔２３ａと同じ高さ位置にレール２５を上下方向に位置調節可能に取り付けるための多数の取付孔が形成されている。
【００１９】
図３に示したように、乾燥室２０の左側壁には、中間部より少し下側に送風口２０ａと吸込口２０ｂとが形成されており、これら送風口２０ａと吸込口２０ｂとは外気導入室４０に設けたファン２７を内蔵したファンケース２６内に連通している。送風口２０ａはファン２７により乾燥室２０内に空気を導入するためのものである。吸込口２０ｂは乾燥室２０の空気をファンケース２６内に戻すためのものである。また、ファンケース２６には外気導入室４０の外気を導入する吸気口２６ａが設けられている。吸気口２６ａの左側にはエアフィルター２６ｂが設けられている。
【００２０】
図３に示したように、乾燥室２０の左側壁には送風口２０ａの上下にて熱風通路２２を形成する２つのダクト部材２８，２９が固定されている。ダクト部材２８，２９は熱伝導性の高いステンレス板材を用いたものである。２つのダクト部材２８，２９は、送風口２０ａの上下側から水平に延びる水平部２８ａ，２９ａと、各水平部２８ａ，２９ａの先端から下方に延びる垂直部２８ｂ，２９ｂとからなる。前後の棚柱２３の間にてこれらダクト部材２８，２９と間に形成される空間は上述した熱風通路２２となっている。送風口２０ａの上側に固定されたダクト部材２８の垂直部２８ｂは熱風通路２２と収容部２１の下部とを仕切っている。送風口２０ａの下側に固定されたダクト部材２９の下端部は乾燥室２０の左側壁側に折り曲げられて閉じられている。下側のダクト部材２９と乾燥室２０の左側壁との間の空間は、吸込口２０ｂに連通するとともに、前後両側にある棚柱２３の図示しない切欠き部により棚柱２３の内部空間に連通している。下側のダクト部材２９と乾燥室２０の左側壁との間の空間は、取付孔２３ａから棚柱２３の内部空間に吸い込んだ収容部２１内の空気を吸込口２０ｂから再びファンケース２６に戻すための循環通路３０となっている。
【００２１】
ダクト部材２８，２９の水平部２８ａ，２９ａの間にはヒータ３１が設けられている。ヒータ３１は発熱体を内蔵したセラミック体にアルミ製の多数の伝熱フィンを固定したものであり、ファン２７により吹き付けた空気を多数の伝熱フィンの間を通過させて熱風とするものである。
【００２２】
図３に示したように、乾燥室２０には上壁の左部に排気口２０ｃが形成されており、排気口２０ｃは排気管収容室５０に配設した排気管５１に接続されている。排気管５１の導出端部は、ハウジング１１の前面上部に設けた排気窓１１ａに接続されている。
【００２３】
図３〜図５に示したように、洗剤収容室６０には洗剤容器Ｃを前方向に引出し可能に収容するドロワ６１が設けられている。ドロワ６１は洗剤容器Ｃを前後方向に２つ収容できる大きさとなっている。ドロワ６１の両側壁上端部には外側に折り曲げた折曲部６１ａが形成され、ドロワ６１は折曲部６１ａを洗剤収容室６０の両側壁上部に設けたレール６２に摺動自在に係止させて吊り下げ支持されている。図５に示したように、ドロワ６１の周壁下端部には内側に折り曲げた折曲部６１ｂが形成され、ドロワ６１の底板６１ｃは周縁部を折曲部６１ｂに係止させて着脱可能に支持されている。ドロワ６１の前壁後面には洗剤容器Ｃから導出する洗剤供給管６４を着脱可能に保持するホルダ６３が設けられている。図４（ｂ）に示したように、また、底板６１ｃの前縁は上側に折り曲げた上端をさらに後方に折り曲げた折曲部６１ｄが形成され、折曲部６１ｄには左右方向の中間部に切欠き部６１ｅが形成されている。
【００２４】
図２及び図４に示したように、排気管収容室５０と洗剤収容室６０とには、洗剤収容室６０に収容した洗剤容器Ｃから導出した洗剤供給管６４が収容されている。洗剤供給管６４は、洗剤容器Ｃ内に挿入したステンレス製の吸引部６５と、吸引部６５に接続された送出部６６とからなる。吸引部６５は洗剤容器Ｃの底部から延びてドロワ６１の前壁側に湾曲した上下を逆にしたＪ字形をしており、ドロワ６１のホルダ６３に着脱可能に保持されている。送出部６６は合成樹脂製の可撓性管材よりなり、吸引部６５に接続された導入端部から洗剤収容室６０と排気管収容室５０とを通ってハウジング１１の天板の上側に延び、導出端部が洗浄装置ＷのポンプＷ１に接続されている。
【００２５】
上記のように構成した乾燥装置１０の作動について説明する。洗浄装置Ｗにより洗浄した器具をトレーＴに入れた状態で洗浄室Ｗ２から乾燥装置１０の乾燥室２０の収容部２１に移動させる。乾燥装置１０においては、ファン２７とヒータ３１との作動により、図３にて矢印により空気の流れを示したように、ハウジング１１外から吸気口４１ａを通って外気導入室４０に流入した外気が吸気口２６ａを通ってファンケース２６内に導入されるとともに、収容部２１から取付孔２３ａを通って棚柱２３内に吸い込まれた空気が棚柱２３の切欠き部から循環通路３０を通って吸込口２０ｂからファンケース２６内に導入される。ファンケース２６内に導入された空気はファン２７によって送風口２０ａから熱風通路２２に送り出され、ヒータ３１の伝熱フィンの間を通過して加熱されて熱風となり、熱風通路２２の下端開口から収容部２１の下部に導入される。
【００２６】
熱風通路２２の下端開口から収容部２１の下部に導入された熱風は、収容部２１の下部から乾燥室２０の右側壁側に流れ、乾燥室２０の右側壁に沿って上昇し、乾燥室２０の上壁付近で収容部２１の左側部側に流れ、収容部２１の左側部に沿って再び収容部２１の下部に流れ落ちて収容部２１内を循環する。また、収容部２１内の空気の一部は取付孔２３ａから棚柱２３内に吸い込まれ、棚柱２３の切欠き部から循環通路３０を通って吸込口２０ｂから再びファンケース２６内に戻る。また、ファンケース２６の吸気口２６ａから導入した外気に応じて、収容部２１の空気は乾燥室２０の排気口２０ｃから排気管５１を通ってハウジング１１外に排出される。トレーＴに入れた器具は、上記のように乾燥室２０内を循環する熱風により乾燥する。
【００２７】
上記のように構成した乾燥装置１０は、洗剤容器Ｃ内の液体洗剤を洗剤供給用のポンプＷ１により洗浄室Ｗ２内に供給して器具を洗浄する洗浄装置Ｗをハウジング１１の天板上に設置して使用するものである。乾燥装置１０は、洗浄した器具を収容して乾燥させる乾燥室２０をハウジング１１内に備え、乾燥室２０をハウジング１１内の右側に寄せて配置し、ハウジング１１の左側部（左側）には洗剤容器Ｃを収容する洗剤収容室６０を設けた。これにより、洗剤容器Ｃを床や他の機器の天板の上に置いて使用したときのように、洗剤容器Ｃの周囲に埃が溜まったり、洗剤容器Ｃを倒して周囲を汚すおそれがない。また、作業台として用いる他の機器の天板等に置かなくてよいので、作業空間が狭くなるのを防ぐことができる。さらに、洗剤容器Ｃは乾燥装置１０のハウジング１１内に収容されて外側から見えないようになるので、洗浄装置Ｗと乾燥装置１０との見栄えを向上させることができた。
【００２８】
また、乾燥装置１０においては、ハウジング１１内の排気管収容室５０には洗剤収容室６０の洗剤容器Ｃから導出した洗剤供給管６４の送出部６６の一部が収容されている。排気管収容室５０は排気管５１を通過する乾燥室２０の排気により適度に加熱されており、洗剤容器Ｃから洗剤供給管６４により洗浄装置Ｗに送られる液体洗剤は、排気管収容室５０内を通過する際に排気管５１を通る乾燥室２０の排気により適度に加熱される。これにより、液体洗剤を適度に加温した状態で洗浄装置Ｗに送ることができ、液体洗剤を洗浄装置Ｗで高い洗浄力を発揮させることができる。
【００２９】
また、乾燥装置１０においては、洗剤収容室６０のドロワ６１の前壁後面には洗剤容器Ｃから導出した洗剤供給管６４の吸引部６５を保持するホルダ６３を設けた。図４（ｃ）に示したように、洗剤容器Ｃを交換するときに、吸引部６５をホルダ６３に保持させれば、洗剤容器Ｃの交換を容易にすることができる。また、吸引部６５をホルダ６３に保持させたときに、吸引部６５の先端を切欠き部６１ｅに係止させることでさらに安定して保持させることができる。なお、洗剤容器Ｃを交換する際に液体洗剤が漏出して底板６１ｃを汚しても、ドロワ６１の底板６１ｃは着脱可能となっているので、底板６１ｃの洗浄が容易である。
【００３０】
また、乾燥装置１０においては、ハウジング１１内には洗剤収容室６０と同じ左側部に乾燥室２０に外気を導入する外気導入室４０よりなる吸気経路を備えたので、洗剤収容室６０に収容した洗剤容器Ｃ内の液体洗剤が乾燥室２０の熱の影響を受けにくくなる。
【００３１】
上記の実施形態においては、洗浄装置Ｗを乾燥装置１０の周囲としてハウジング１１の天板上に設定したもので説明したが、本発明はこれに限られるものでなく、洗浄装置Ｗを下側または左右側に設置しても同様の作用効果を得ることができる。
【００３２】
上記の実施形態においては、乾燥室２０をハウジング１１の一側として右側に寄せて配置し、ハウジング１１の他側として左側に洗剤容器Ｃを収容する洗剤収容室６０を設けたが、本発明はこれに限られるものでなく、乾燥室２０をハウジングの一側として左側に寄せて配置し、ハウジング１１の他側として右側に洗剤収容室６０を設けても同様の作用効果を得ることができる。同様に、乾燥室２０をハウジング１１の一側として前側または後側に寄せて配置し、ハウジング１１の他側として後側または前側に洗剤収容室６０を設けても同様の作用効果を得ることができる。同様に、乾燥室２０をハウジング１１の一側として上側または下側に寄せて配置し、ハウジング１１の他側として下側または上側に洗剤収容室６０を設けても同様の作用効果を得ることができる。
【００３３】
上記の実施形態においては、洗剤容器Ｃを洗剤収容室６０内にて前方に引き出して使用するドロワ６１に収容させたが、本発明はこれに限られるものでなく、洗剤容器Ｃを洗剤収容室６０に収容し、洗剤収容室６０の前面開口を扉により開閉させたものであってもよい。
【００３４】
上記の実施形態においては、器具として医療用器具について説明したが、本発明は、医療用器具以外に例えば食器等を洗浄するものであってもよい。
【００３５】
上記の実施形態においては、乾燥室２０の収容部２１に、器具を入れたトレーＴを多段状に収容した例により説明したが、本発明は収容部２１に、器具を入れた網籠を収容したものであってもよい。
【符号の説明】
【００３６】
１０…乾燥装置、１１…ハウジング、２０…乾燥室、４０…外気導入室、５０…排気管収容室、５１…排気管、６０…洗剤収容室、６３…ホルダ、６４…洗剤供給管、Ｃ…洗剤容器、Ｗ…洗浄装置、Ｗ２…洗浄室。
【図１】
2014020587.tif 000003
【図２】
2014020587.tif 000004
【図３】
2014020587.tif 000005
【図４】
2014020587.tif 000006
【図５】
2014020587.tif 000007